(57)【要約】【課題】  普段通りに着用している状態で、歩行や階段の上り下りなど日常生活における動作に伴い、着用者の腰部、腹部、臀部、および大腿部のあたりに負荷をかけることにより、着用時にそれらの部分における筋力の維持又は強化を図り体形を整える衣料の提供を目的とする。【解決手段】  着用者の少なくとも腰部及び左右大腿部に密着し、伸縮性を有するベース生地からなる衣料基部１と、着用者の骨盤回りを締め付け、衣料基部１の腰部に設けられた骨盤緊締ベルト２と、着用者の臀部下部及び側部を締め付け、骨盤緊締ベルトと一端において当接するヒップアップベルト３と、着用者の大腿部の裏側から側面を覆い、ヒップアップベルト３の下端側と一端において当接する大腿部負荷ベルト４と、着用者の膝頭の上部又は下部の少なくとも一方を締め付け、大腿部負荷ベルト４の他端側と当接する大腿部下部緊締ベルト５を備える体形調整衣料により解決することができた。【選択図】図１
2018040065.tif 000002
【特許請求の範囲】
【請求項１】
着用者の少なくとも腰部及び左右大腿部に密着し、伸縮性を有するベース生地からなる衣料基部（１）と、
着用者の骨盤回りを締め付け、前記衣料基部（１）の腰部に設けられた骨盤緊締ベルト（２）と、
着用者の臀部下部及び側部を締め付け、前記骨盤緊締ベルト（２）と一端において当接するヒップアップベルト（３）と、
着用者の大腿部の裏側から側面を覆い、前記ヒップアップベルト（３）の下端側と一端において当接する大腿部負荷ベルト（４）と、
着用者の膝頭の上部又は下部の少なくとも一方を締め付け、前記大腿部負荷ベルト（４）の他端側と当接する大腿部下部緊締ベルト（５）を備え、
前記各ベルトが前記ベース生地より伸縮性が小さいことを特徴とする体形調整衣料。
【請求項２】
下腹部を締め付ける下腹部緊締部（６）を備えることを特徴とする請求項１に記載の体形調整衣料。
【請求項３】
前記骨盤緊締ベルト（２）の側面側と一端において当接し、前記大腿部負荷ベルト（４）と前記大腿部の裏側で交差し、前記大腿部下部緊締ベルト（５）と他端側において当接する側方緊締ベルト（７）を備えることを特徴とする請求項１又は請求項２に記載の体形調整衣料。
【請求項４】
前記各ベルトにおいて、前記腰部から前記大腿部に沿った上下方向の伸縮性が、その水平方向の伸縮性よりも小さいことを特徴とする請求項１から請求項３のいずれかに記載の体形調整衣料。
【発明の詳細な説明】
【技術分野】
【０００１】
本発明は、伸縮性を有する編み物よりなるガードル、スパッツ等の衣料であって、着用時に筋力の維持又は強化を図り体形を整える衣料に関する。
【背景技術】
【０００２】
従来、ガードルやスパッツ等の衣料において、普段通りに着用している状態で、歩行や階段の上り下りなど日常生活における動作に伴い、着用者の腰部から大腿部のあたりに負荷をかけ、運動不足や加齢などを原因とする筋力の低下を抑え、筋力の維持又は強化を図る衣料が知られている。
【０００３】
例えば、特許文献１には、腰部上端からヒップ部の外側に沿ってカーブしてヒップ部下端に至る第１の伸縮部と、第１の伸縮部から連続して大腿部の下端部に至る第２の伸縮部からなり、全体として腰部上端からヒップを通って大腿部まで延びた帯状伸縮部を備えた衣料が開示されている。
【先行技術文献】
【特許文献】
【０００４】
【特許文献１】特開２００９−７７２０号公報
【発明の概要】
【発明が解決しようとする課題】
【０００５】
しかしながら、特許文献１に記載の衣料では、図なども踏まえると、臀部から大腿部の裏側にかけて生地よりも伸縮性の乏しい帯状の伸縮部により、着用者の歩行や屈伸を伴う通常の生活上の動きにおいて、帯状伸縮部が腰部から大腿部に亘る部分の各筋肉に対して適度の負荷を与え、当該衣料を着用しているだけで筋力強化を図ることができるとしているが、第２の伸縮部がベース生地よりも伸縮性しにくい部材であったとしても、第２の伸縮部の一端が当接する大腿部の下端部が単に衣料の淵であり特段伸縮性を抑えた部材でもないために、日常生活において脚部を動かす動作をしたとしても、第２の伸縮部により大腿部の下端部が上方にずり上がってしまい、所望の効果を十分に発現することが難しかった。
【０００６】
さらに、第１の伸縮部はヒップ部の外側に沿ってカーブしているために、大臀筋への刺激が不十分で、加齢や運動不足による筋力低下により臀部が垂れ下がり、腰痛や骨盤の歪みなどを引き起こすおそれがあった。
【０００７】
そこで、本発明では、着用している状態で、普段通りに歩行や階段の上り下りなど日常生活における動作に伴い、着用者の腰部、腹部、臀部、および大腿部のあたりに負荷をかけることにより、着用時にそれらの部分における筋力の維持又は強化を図り体形を整える衣料を提供することを目的とする。
【課題を解決するための手段】
【０００８】
〔１〕すなわち、本発明は、着用者の少なくとも腰部及び左右大腿部に密着し、伸縮性を有するベース生地からなる衣料基部（１）と、着用者の骨盤回りを締め付け、前記衣料基部（１）の腰部に設けられた骨盤緊締ベルト（２）と、着用者の臀部下部及び側部を締め付け、前記骨盤緊締（２）ベルトと一端において当接するヒップアップベルト（３）と、着用者の大腿部の裏側から側面を覆い、前記ヒップアップベルト（３）の下端側と一端において当接する大腿部負荷ベルト（４）と、着用者の膝頭の上部又は下部の少なくとも一方を締め付け、前記大腿部負荷ベルト（４）の他端側と当接する大腿部下部緊締ベルト（５）を備え、前記各ベルトが前記ベース生地より伸縮性が小さいことを特徴とする体形調整衣料である。
【０００９】
〔２〕そして、下腹部を締め付ける下腹部緊締部（６）を備えることを特徴とする前記〔１〕に記載の体形調整衣料である。
【００１０】
〔３〕そして、前記骨盤緊締ベルト（２）の側面側と一端において当接し、前記大腿部負荷ベルト（４）と前記大腿部の裏側で交差し、前記大腿部下部緊締ベルト（５）と他端側において当接する側方緊締ベルト（７）を備えることを特徴とする前記〔１〕又は前記〔２〕に記載の体形調整衣料である。
【００１１】
〔４〕そして、前記各ベルトにおいて、前記腰部から前記大腿部に沿った上下方向の伸縮性が、その水平方向の伸縮性よりも小さいことを特徴とする前記〔１〕から前記〔２〕のいずれかに記載の体形調整衣料である。
【発明の効果】
【００１２】
前記〔１〕に記載の体形調整衣料によれば、着用している状態で、普段通りに歩行や階段の上り下りなど日常生活における動作に伴い、着用者の腰部、腹部、臀部、および大腿部のあたりに負荷をかけることにより、着用時にそれらの部分における筋力の維持又は強化を図り体形を整えることができる。
【００１３】
前記〔２〕に体形調整衣料によれば、上記の効果に加え、さらに、下腹部に位置する腹直筋の下部などに負荷をかけることにより、着用時に腹直筋の下部などにおける筋力の維持又は強化を図り体形を整えることができる。
【００１４】
前記〔３〕に記載の体形調整衣料によれば、上記の効果に加え、さらに、日常生活における動作に伴い、大腿部の裏側の交差部分で大腿部の表側に適度な負荷をかけ、さらに、腰部の側方から骨盤の側方を押さえることにより、より下半身への代謝を促しながら、腰椎の安定感を補助し、日常生活の中で正しい姿勢を保つことができる。
【００１５】
前記〔４〕に記載の体形調整衣料によれば、上記の効果に加え、さらに、各ベルトにおいて水平方向である左右方向、前後方向には上下方向に比べて伸び易いので、着用時につっぱった感じなく履くことができながらも、腰部、腹部、臀部、および大腿部のあたりの筋力の維持又は強化を図り体形を整えることができる。
【図面の簡単な説明】
【００１６】
【図１】本発明における第一実施形態の体形調整衣料において、前方斜視図である。
【図２】本発明における第一実施形態の体形調整衣料において、後方斜視図である。
【図３】本発明における第二実施形態の体形調整衣料において、前方斜視図である。
【図４】本発明における第二実施形態の体形調整衣料において、後方斜視図である。
【図５】本発明における第三実施形態の体形調整衣料において、正面図である。
【図６】本発明における第三実施形態の体形調整衣料において、背面図である。
【図７】本発明における第三実施形態の体形調整衣料において、右側面図である。
【図８】本発明における第四実施形態の体形調整衣料において、正面図である。
【図９】本発明における第四実施形態の体形調整衣料において、背面図である。
【図１０】本発明における第四実施形態の体形調整衣料において、右側面図である。
【発明を実施するための形態】
【００１７】
以下、本発明に係る体形調整衣料に関する各実施形態について図面を参照し詳しく説明する。なお、説明中の上方方向は、図１、図３、図５、図７における上下方向であり、前後方向は、図１、図３、図５、図７における手前側が前方で奥側が後方である。
【００１８】
〔第一実施形態〕
本発明における第一実施形態の体形調整衣料は、図１から図２に示すように、衣料基部１と、骨盤緊締ベルト２と、ヒップアップベルト３と、大腿部負荷ベルト４と、大腿部下部緊締ベルト５を備えており、そして、下腹部あたりに下腹部緊締部６を備えているガードルである。これら各ベルトは、帯状に形成されている。
【００１９】
衣料基部１は、着用者の腰部及び左右大腿部に密着し、伸縮性を有するベース生地からなり、各ベルトなどを固設する体形調整衣料の基礎的な部材である。衣料基部１は、骨盤緊締ベルト２、ヒップアップベルト３、大腿部負荷ベルト４、大腿部下部緊締ベルト５、下腹部緊締部６などに比べると、緊締力が弱くなるよう編まれている。
【００２０】
衣料基部１の材料は、特に限定されるものでないが、天然繊維または合成繊維など適宜選択される素材からなる。例えば、綿、絹、麻、ウール、セルロース、ナイロン、ポリエステル、アクリル、レーヨン、ニトリルなどからなり、これらを単一または複数用いて適度な緊締力を持たせることができる。
【００２１】
骨盤緊締ベルト２は、着用者の骨盤回りを衣料基部１よりも強い緊締力で締め付け、衣料基部１の腰部回りに設けられた部材である。また、骨盤緊締ベルト２に下辺に接し、着用者の骨盤の前方側から側面を覆うように骨盤緊締補助ベルト２´が配設されている。骨盤緊締ベルト２及び骨盤緊締補助ベルト２´は、衣料基部１の裏面側、すなわち、着用者側に配設されており、これにより、腹部の段差を押さえ込むだけでなく、骨盤まわりをサポートしてきれいな姿勢を保持することができる。
【００２２】
ヒップアップベルト３は、着用者の臀部下部及び側部を締め付け、骨盤緊締ベルト２及び骨盤緊締補助ベルト２´と一端側において当接する部材である。一端側が骨盤緊締ベルト２及び骨盤緊締補助ベルト２´の腰部側において当接し、そこから臀部の側面を斜めに沿って臀部の下部まで亘り、他端が他のヒップアップベルト３の他端と臀部の中心付近で当接している。ヒップアップベルト３により、大臀筋を刺激し、加齢や運動不足による筋力低下により臀部が垂れ下がり、腰痛や骨盤の歪みなどを防止するともに、張りのある臀部の形を演出することができる。
【００２３】
大腿部下部緊締ベルト４は、着用者の大腿部の裏側から側面を覆い、ヒップアップベルト３の下端側と一端において当接し、大腿部下部緊締ベルト５と他端側において当接する部材である。大腿部下部緊締ベルト４は、ヒップアップベルト３の下端側を起点として、大腿部の裏面をハの字状に配設されている。具体的には、大腿部下部緊締ベルト４において、一方は、大腿部の裏側から外側面に斜めに配設されて、大腿部下部緊締ベルト５の外側面側にて終結し、他方は、大腿部の裏側から内側面に斜めに配設されて、大腿部下部緊締ベルト５の内側面側にて終結する。二本の大腿部下部緊締ベルト４により、着用者が着用している状態で、普段通りに歩行や階段の上り下りなど日常生活における動作を行うときに、大腿部の裏側に位置する大腿四頭筋に負荷を掛け、大腿四頭筋の活動量や代謝を上昇させることができる。
【００２４】
大腿部下部緊締ベルト５は、着用者の膝頭の上部を締め付け、大腿部負荷ベルト４の他端側と当接する部材である。より具体的には、大腿部下部緊締ベルト５は、着用者の膝頭の上部あたりの大腿部の下部の前方を締め付けるように帯状に形成され、大腿部負荷ベルト４の他端と一体的に設けられた状態で衣料基部１に設けられている。大腿部下部緊締ベルト５により、ヒップアップベルト３と相まって両方の大腿部負荷ベルト４に力が加わったときに衣料基部１の下端が上方に引き上げられないようにしているので、大腿四頭筋に確実に負荷を掛け、大腿四頭筋の活動量や代謝を上昇させることができる。
【００２５】
下腹部緊締部６は、下腹部を締め付ける部材であり、上端が骨盤緊締ベルト２に当接し、恥骨部、鼠蹊部を覆うように逆三角形をした形状を有して、衣料基部１に設けられている。下腹部緊締部６により、下腹部に位置する腹直筋の下部などに負荷をかけることにより、着用時に腹直筋の下部などにおける筋力の維持又は強化を図り体形を整えることができる。
【００２６】
そして、骨盤緊締ベルト２、骨盤緊締補助ベルト２´、ヒップアップベルト３、大腿部負荷ベルト４、大腿部下部緊締ベルト５、下腹部緊締部６は、着用者の腰部から大腿部に沿った上下方向の伸縮性が、その水平方向である左右方向や前後方向の伸縮性よりも小さいように設計されている。具体的には、衣料基部１を平編みによって編成し、そして、骨盤緊締ベルト２、骨盤緊締補助ベルト２´、ヒップアップベルト３、大腿部負荷ベルト４、大腿部下部緊締ベルト５、下腹部緊締部６をタック編みにより編成することにより、編組織の縦方向であるウェール方向の伸縮性を小さくして、横方向との伸縮性に差を設けることができる。そして、着用者の腰部から前記大腿部に沿った上下方向に、それら部材の編組織の縦方向を沿わせることにより、上下方向の伸縮性が、着用者の左右方向や前後方向の伸縮性よりも小さいように設計することができる。このように縦横で緊締力が異なるように設計することにより、各ベルトにおいて左右方向、前後方向には上下方向に比べて伸び易いので、着用時につっぱった感じなく履くことができながらも、腰部、腹部、臀部、および大腿部のあたりの筋力の維持又は強化を図り体形を整えることができる。
【００２７】
これらの各ベルトなどの部材を備える体形調整衣料を着用するによって、それを着用しないときと比べてカロリー消費量と筋肉の活動量がどのように変化するかを確認した。
【００２８】
＜カロリー消費量＞
被験者は、室内の温度が２５℃、湿度が４０％ＲＨの環境において、当該体形調整衣料を着用した場合と着用しなかった場合において、５分間安静にした後に１５分間、時速２．５〜２．６ｋｍの速さで歩行し、それぞれの場合に、酸素の消費量や二酸化炭素の発生量などから運動によって消費したエネルギーを算出する呼気代謝計測装置を用いて、カロリー消費量を計測及び算出した。呼気代謝計測装置としては、例えば、株式会社ベルテックジャパンのＫ４ｂ２−ＪＡＰＡＮなどを使用することができる。
【００２９】
＜筋肉の活動量＞
被験者は、室内の温度が２５℃、湿度が４０％ＲＨの環境において、当該体形調整衣料を着用した場合と着用しなかった場合に、１分間に１５のペースで踏み台昇降運動を行い（右足から昇り、右足から降りることに統一）、腹直筋肉、大腿四頭筋、大臀筋の各筋肉の筋電図からそれぞれの筋肉の活動量を測定した。より、具体的には、それぞれの筋肉に直近の皮膚表面に表面電極を貼り付けるなどして、運動による筋肉の収縮に伴って計測される筋肉図から解析して算出する。筋肉の活動量の測定装置としては、例えば、キッセイコムテック株式会社のＭＱＡｉｒなどを使用することができる。
【００３０】
これらの測定法に基づいて、３人の被験者にて試験を行った。一人目として、身長が１５５ｃｍで体重が４８ｋｇの３３歳の健常者である女性が、当該体形調整衣料を着用した場合と着用しなかった場合において、それぞれの試験を行った。当該体形調整衣料を着用した場合を実施例１として、着用しなかった場合を比較例１として表１に試験結果を示した。二人目として、身長が１５４ｃｍで体重が５０ｋｇの３３歳の健常者である女性が、当該体形調整衣料を着用した場合と着用しなかった場合において、それぞれの試験を行った。当該体形調整衣料を着用した場合を実施例２として、着用しなかった場合を比較例２として表２に試験結果を示した。三人目として、身長が１６０ｃｍで体重が４５ｋｇの４５歳の健常者である女性が、当該体形調整衣料を着用した場合と着用しなかった場合において、それぞれの試験を行った。当該体形調整衣料を着用した場合を実施例３として、着用しなかった場合を比較例３として表３に試験結果を示した（カロリー消費量については未測定）。
【００３１】
【表１】
2018040065.tif 000003
【００３２】
【表２】
2018040065.tif 000004
【００３３】
【表３】
2018040065.tif 000005
【００３４】
表１から表３の結果より、いずれの場合にも当該体形調整衣料を着用した場合は、着用しなかった場合に比べて、消費カロリーが増加し、筋肉の活動量も増加した。腹直筋および大臀筋の筋肉の収縮がより大きかったが分かった。これらの結果より、当該体形調整衣料を着用した場合は、着用しなかった場合に比べて、腹直筋肉、大腿四頭筋、大臀筋の各筋肉にかかる負荷が大きいためにより多くの筋肉の活動を必要とし、それに伴ってより多くのエネルギーを消費したものといえる。よって、本発明の体形調整衣料により、着用者の腰部、腹部、臀部、および大腿部のあたりに負荷をかけることにより、着用時にそれらの部分における筋力の維持又は強化を図り、ひいては体形を整えることができることが分かった。
【００３５】
〔第二実施形態〕
本発明における第一実施形態の体形調整衣料は、図３から図４に示すように、衣料基部１と、骨盤緊締ベルト２と、ヒップアップベルト３と、大腿部負荷ベルト４と、大腿部下部緊締ベルト５を備えており、そして、下腹部あたりに下腹部緊締部６を備え、さらに、側方緊締ベルト７を備えているガードルである。これら各ベルトは、帯状に形成されている。
【００３６】
衣料基部１は、着用者の腰部及び左右大腿部に密着し、伸縮性を有するベース生地からなり、各ベルトなどを固設する体形調整衣料の基礎的な部材である。衣料基部１は、骨盤緊締ベルト２、ヒップアップベルト３、大腿部負荷ベルト４、大腿部下部緊締ベルト５、下腹部緊締部６、側方緊締ベルト７に比べると、緊締力が弱くなるよう編まれている。
【００３７】
衣料基部１の材料は、特に限定されるものでないが、天然繊維または合成繊維など適宜選択される素材からなる。例えば、綿、絹、麻、ウール、セルロース、ナイロン、ポリエステル、アクリル、レーヨン、ニトリルなどからなり、これらを単一または複数用いて適度な緊締力を持たせることができる。
【００３８】
骨盤緊締ベルト２は、着用者の骨盤回りを衣料基部１よりも強い緊締力で締め付け、衣料基部１の腰部回りに設けられた部材である。また、骨盤緊締ベルト２に下辺に接し、着用者の骨盤の前方側から側面を覆うように骨盤緊締補助ベルト２´が配設されている。骨盤緊締ベルト２及び骨盤緊締補助ベルト２´は、衣料基部１の裏面側、すなわち、着用者側に配設されており、これにより、腹部の段差を押さえ込むだけでなく、骨盤まわりをサポートしてきれいな姿勢を保持することができる。また、骨盤緊締ベルト２の上側の位置に波型などのレース２１を取り付けることもでき、これにより、着用時に服越に見ても境界線が見づらくなるために、当該体形調整衣料を着ていることを悟られにくくすることができる。
【００３９】
ヒップアップベルト３は、着用者の臀部下部及び側部を締め付け、骨盤緊締ベルト２及び骨盤緊締補助ベルト２´と一端側において当接する部材である。一端側が骨盤緊締ベルト２及び骨盤緊締補助ベルト２´の腰部側において当接し、そこから臀部の側面を斜めに沿って臀部の下部まで亘り、他端が他のヒップアップベルト３の他端と臀部の中心付近で当接している。ヒップアップベルト３により、大臀筋を刺激し、加齢や運動不足による筋力低下により臀部が垂れ下がり、腰痛や骨盤の歪みなどを防止するともに、張りのある臀部の形を演出することができる。
【００４０】
大腿部下部緊締ベルト４は、着用者の大腿部の裏側（後方側）から側面を覆い、ヒップアップベルト３の下端側と一端において当接し、大腿部下部緊締ベルト５と他端側において当接する部材である。大腿部下部緊締ベルト４は、ヒップアップベルト３の下端側を起点として、大腿部の裏側から側面に斜めに配設されて、大腿部下部緊締ベルト５の側面側にて終結する。大腿部下部緊締ベルト４により、着用者が着用している状態で、普段通りに歩行や階段の上り下りなど日常生活における動作を行うときに、大腿部の裏側に位置する大腿四頭筋に負荷を掛け、大腿四頭筋の活動量や代謝を上昇させることができる。
【００４１】
大腿部下部緊締ベルト５は、着用者の膝頭の上部を締め付け、大腿部負荷ベルト４の他端側と当接する部材である。より具体的には、大腿部下部緊締ベルト５は、着用者の膝頭の上部あたりの大腿部の下部の外周を締め付けるように帯状に形成され、衣料基部１に設けられている。そして、大腿部下部緊締ベルト５の外側の側方において、大腿部負荷ベルト４の他端と当接している。大腿部下部緊締ベルト５により、ヒップアップベルト３と相まって大腿部負荷ベルト４に力が加わったときに衣料基部１の下端が上方に引き上げられないようにしているので、大腿四頭筋に確実に負荷を掛け、大腿四頭筋の活動量や代謝を上昇させることができる。
【００４２】
下腹部緊締部６は、下腹部を締め付ける部材であり、上端が骨盤緊締ベルト２に当接し、恥骨部、鼠蹊部を覆うように逆三角形をした形状を有して、衣料基部１に設けられている。下腹部緊締部６により、下腹部に位置する腹直筋の下部などに負荷をかけることにより、着用時に腹直筋の下部などにおける筋力の維持又は強化を図り体形を整えることができる。
【００４３】
側方緊締ベルト７は、骨盤緊締ベルト２及び骨盤緊締補助ベルト２´の側面側と一端側において当接し、大腿部負荷ベルト４と大腿部の裏側で交差し、大腿部下部緊締ベルト５と他端側において当接する。より具体的には、側方緊締ベルト７は、腰部の側方から大腿部の内側まで斜めに亘っており、骨盤緊締ベルト２及び骨盤緊締補助ベルト２´の側面側と一端側において当接し、臀部の側方でヒップアップベルト３と、そして、大腿部の裏側である大腿二頭筋や半腱様筋あたりで大腿部負荷ベルト４と交差し、大腿部下部緊締ベルト５における大腿部の内側と他端において当接する。側方緊締ベルト７により、日常生活における動作に伴い、大腿部の裏側の交差部分で大腿部の表側に適度な負荷をかけ、さらに、腰部の側方から骨盤の側方を押さえることにより、より下半身への代謝を促しながら、腰椎の安定感を補助し、日常生活の中で正しい姿勢を保つことができる。
【００４４】
そして、骨盤緊締ベルト２、骨盤緊締補助ベルト２´、ヒップアップベルト３、大腿部負荷ベルト４、大腿部下部緊締ベルト５、下腹部緊締部６、側方緊締ベルト７は、着用者の腰部から大腿部に沿った上下方向の伸縮性が、その水平方向である左右方向や前後方向の伸縮性よりも小さいように設計されている。具体的には、衣料基部１を平編みによって編成し、そして、骨盤緊締ベルト２、骨盤緊締補助ベルト２´、ヒップアップベルト３、大腿部負荷ベルト４、大腿部下部緊締ベルト５、下腹部緊締部６、側方緊締ベルト７をタック編みにより編成することにより、編組織の縦方向であるウェール方向の伸縮性を小さくして、横方向との伸縮性に差を設けることができる。そして、着用者の腰部から前記大腿部に沿った上下方向に、それら部材の編組織の縦方向を沿わせることにより、上下方向の伸縮性が、着用者の左右方向や前後方向の伸縮性よりも小さいように設計することができる。このように縦横で緊締力が異なるように設計することにより、各ベルトにおいて左右方向、前後方向には上下方向に比べて伸び易いので、着用時につっぱった感じなく履くことができながらも、腰部、腹部、臀部、および大腿部のあたりの筋力の維持又は強化を図り体形を整えることができる。
【００４５】
〔第三実施形態〕
本発明における第一実施形態の体形調整衣料は、図５から図７に示すように、衣料基部１と、骨盤緊締ベルト２と、ヒップアップベルト３と、大腿部負荷ベルト４と、大腿部下部緊締ベルト５を備えており、そして、下腹部あたりに下腹部緊締部６を備え、さらに、側方緊締ベルト７、足首緊締ベルト８を備えているスパッツである。これら各ベルトは、帯状に形成されている。
【００４６】
衣料基部１は、着用者の腰部及び左右大腿部に密着し、伸縮性を有するベース生地からなり、各ベルトなどを固設する体形調整衣料の基礎的な部材である。衣料基部１は、骨盤緊締ベルト２、ヒップアップベルト３、大腿部負荷ベルト４、大腿部下部緊締ベルト５、下腹部緊締部６、側方緊締ベルト７、足首緊締ベルト８に比べると、緊締力が弱くなるよう編まれている。
【００４７】
衣料基部１の材料は、特に限定されるものでないが、天然繊維または合成繊維など適宜選択される素材からなる。例えば、綿、絹、麻、ウール、セルロース、ナイロン、ポリエステル、アクリル、レーヨン、ニトリルなどからなり、これらを単一または複数用いて適度な緊締力を持たせることができる。
【００４８】
骨盤緊締ベルト２は、着用者の骨盤回りを衣料基部１よりも強い緊締力で締め付け、衣料基部１の腰部回りに設けられた部材である。また、骨盤緊締ベルト２に下辺に接し、着用者の骨盤の前方側から腰部側である側面を覆い、さらに前方側から側面より上下幅を短くして側面から後方側を覆うように骨盤緊締補助ベルト２´が配設されている。また、図７に示すように、骨盤緊締補助ベルト２´の側面より側方緊締ベルト７が下方に分岐している。骨盤緊締ベルト２及び骨盤緊締補助ベルト２´は、衣料基部１の裏面側、すなわち、着用者側に配設されており、これにより、腹部の段差を押さえ込むだけでなく、骨盤まわりをサポートしてきれいな姿勢を保持することができる。
【００４９】
ヒップアップベルト３は、着用者の臀部下部及び側部を締め付け、骨盤緊締ベルト２及び骨盤緊締補助ベルト２´と一端側において当接する部材である。一端側が骨盤緊締ベルト２及び骨盤緊締補助ベルト２´の腰部側において当接し、そこから臀部の側面を斜めに沿って臀部の下部まで亘り、他端が他のヒップアップベルト３の他端と臀部の中心付近で当接している。ヒップアップベルト３により、大臀筋を刺激し、加齢や運動不足による筋力低下により臀部が垂れ下がり、腰痛や骨盤の歪みなどを防止するともに、張りのある臀部の形を演出することができる。
【００５０】
大腿部下部緊締ベルト４は、着用者の大腿部の裏側（後方側）から側面を覆い、ヒップアップベルト３の下端側と一端において当接し、大腿部下部緊締ベルト５と他端側において当接する部材である。より具体的には、大腿部下部緊締ベルト４は、ヒップアップベルト３の下端側を起点として、大腿部の裏側から側面に斜めに配設されて、大腿部下部緊締ベルト５の側面側にて交差して当接し、着用者の膝下に相当する部分にて側方緊締ベルト７と他端にて当接し一体化して終結する。大腿部下部緊締ベルト４により、着用者が着用している状態で、普段通りに歩行や階段の上り下りなど日常生活における動作を行うときに、大腿部の裏側に位置する大腿四頭筋に負荷を掛け、大腿四頭筋の活動量や代謝を上昇させることができる。また、大腿部下部緊締ベルト５と相俟って、大腿部負荷ベルト４に力が加わったときに衣料基部１の下端が上方に引き上げられないようにしているので、大腿四頭筋に確実に負荷を掛け、大腿四頭筋の活動量や代謝を上昇させることができる。
【００５１】
大腿部下部緊締ベルト５は、着用者の膝頭の上部を締め付け、大腿部負荷ベルト４の他端と当接する部材である。より具体的には、大腿部下部緊締ベルト５は、着用者の膝頭の上部あたりの大腿部の下部から両端に向かって左右対称の二つのラインが斜めに配設されて、大腿部負荷ベルト４の他端側にて交差して当接し、さらに着用者のふくらはぎに相当する部分においてその二つのライン自体が交差して、両端部が足首緊締ベルト８に当接して終結する。大腿部下部緊締ベルト５により、ヒップアップベルト３及び大腿部負荷ベルト４の着用者における膝下部分と相まって大腿部負荷ベルト４に力が加わったときに衣料基部１の下端が上方に引き上げられないようにしているので、大腿四頭筋に確実に負荷を掛け、大腿四頭筋の活動量や代謝を上昇させることができる。
【００５２】
下腹部緊締部６は、下腹部を締め付ける部材であり、上端が骨盤緊締ベルト２に当接し、恥骨部、鼠蹊部を覆うように逆三角形をした形状を有して、衣料基部１に設けられている。下腹部緊締部６により、下腹部に位置する腹直筋の下部などに負荷をかけることにより、着用時に腹直筋の下部などにおける筋力の維持又は強化を図り体形を整えることができる。
【００５３】
側方緊締ベルト７は、骨盤緊締ベルト２及び骨盤緊締補助ベルト２´の側面側と一端側において当接し、大腿部負荷ベルト４と大腿部の裏側で交差し、大腿部下部緊締ベルト５と他端側において当接する。より具体的には、側方緊締ベルト７は、腰部の側方から大腿部の内側まで斜めに亘っており、骨盤緊締ベルト２及び骨盤緊締補助ベルト２´の側面側と一端側において当接し、臀部の側方でヒップアップベルト３と、そして、大腿部の裏側である大腿二頭筋や半腱様筋あたりで大腿部負荷ベルト４と交差し、大腿部下部緊締ベルト５における大腿部の内側と他端側において交差して当接し、着用者の膝下に相当する部分にて大腿部負荷ベルト４と他端にて当接し一体化して終結する。側方緊締ベルト７により、日常生活における動作に伴い、大腿部の裏側の交差部分で大腿部の表側に適度な負荷をかけ、さらに、腰部の側方から骨盤の側方を押さえることにより、より下半身への代謝を促しながら、腰椎の安定感を補助し、日常生活の中で正しい姿勢を保つことができる。なお、本実施形態において、大腿部負荷ベルト４および側方緊締ベルト７は一つのベルトとして編まれている。
【００５４】
足首緊締ベルト８は、衣料基部１における着用者の足首回りに相当する部分に配設され、その外側及び内側の両側面側において大腿部下部緊締ベルト５の両端がそれぞれ当接している部材である。足首緊締ベルト８により、大腿部負荷ベルト４の着用者における膝下部分と相まって大腿部下部緊締ベルト５に力が加わったときに衣料基部１の下端である足首回りが上方に引き上げられないようにしているので、各筋肉に確実に負荷を掛け、各筋肉の活動量や代謝を上昇させることができる。
【００５５】
そして、骨盤緊締ベルト２、ヒップアップベルト３、大腿部負荷ベルト４、大腿部下部緊締ベルト５、下腹部緊締部６、側方緊締ベルト７、足首緊締ベルト８は、着用者の腰部から大腿部に沿った上下方向の伸縮性が、その水平方向である左右方向や前後方向の伸縮性よりも小さいように設計されている。具体的には、衣料基部１を平編みによって編成し、そして、骨盤緊締ベルト２、ヒップアップベルト３、大腿部負荷ベルト４、大腿部下部緊締ベルト５、下腹部緊締部６、側方緊締ベルト７、足首緊締ベルト８をタック編みにより編成することにより、編組織の縦方向であるウェール方向の伸縮性を小さくして、横方向との伸縮性に差を設けることができる。そして、着用者の腰部から前記大腿部に沿った上下方向に、それら部材の編組織の縦方向を沿わせることにより、上下方向の伸縮性が、着用者の左右方向や前後方向の伸縮性よりも小さいように設計することができる。このように縦横で緊締力が異なるように設計することにより、各ベルトにおいて左右方向、前後方向には上下方向に比べて伸び易いので、着用時につっぱった感じなく履くことができながらも、腰部、腹部、臀部、および大腿部のあたりの筋力の維持又は強化を図り体形を整えることができる。
【００５６】
〔第四実施形態〕
本発明における第一実施形態の体形調整衣料は、図８から図１０に示すように、衣料基部１と、骨盤緊締ベルト２と、ヒップアップベルト３と、大腿部負荷ベルト４と、大腿部負荷ベルト４と一体となっている大腿部下部緊締ベルト５を備えており、そして、下腹部あたりに下腹部緊締部６を備え、さらに、足首緊締ベルト８を備えているスパッツである。これら各ベルトは、帯状に形成されている。
【００５７】
衣料基部１は、着用者の腰部及び左右大腿部に密着し、伸縮性を有するベース生地からなり、各ベルトなどを固設する体形調整衣料の基礎的な部材である。衣料基部１は、骨盤緊締ベルト２、ヒップアップベルト３、大腿部負荷ベルト４、大腿部下部緊締ベルト５、下腹部緊締部６、足首緊締ベルト８に比べると、緊締力が弱くなるよう編まれている。
【００５８】
衣料基部１の材料は、特に限定されるものでないが、天然繊維または合成繊維など適宜選択される素材からなる。例えば、綿、絹、麻、ウール、セルロース、ナイロン、ポリエステル、アクリル、レーヨン、ニトリルなどからなり、これらを単一または複数用いて適度な緊締力を持たせることができる。
【００５９】
骨盤緊締ベルト２は、着用者の骨盤回りを衣料基部１よりも強い緊締力で締め付け、衣料基部１の腰部回りに設けられた部材である。また、骨盤緊締ベルト２に下辺に接し、骨盤緊締ベルト２よりも上下幅が大きく、着用者の骨盤の前方側から腰部側である側面を覆うように骨盤緊締補助ベルト２´が配設されている。骨盤緊締ベルト２は、衣料基部１の裏面側、すなわち、着用者側に配設されており、これにより、腹部の段差を押さえ込むだけでなく、骨盤まわりをサポートしてきれいな姿勢を保持することができる。
【００６０】
ヒップアップベルト３は、着用者の臀部下部及び側部を締め付け、骨盤緊締ベルト２及び骨盤緊締補助ベルト２´と一端側において当接する部材である。一端側が着用者の下腹部あたりである骨盤緊締ベルト２の表側（前方側）において当接し、そこから臀部の側面を斜めに沿って臀部の下部まで亘り、他端が他のヒップアップベルト３の他端と臀部の中心付近で当接している。ヒップアップベルト３により、大臀筋を刺激し、加齢や運動不足による筋力低下により臀部が垂れ下がり、腰痛や骨盤の歪みなどを防止するともに、張りのある臀部の形を演出することができる。
【００６１】
大腿部下部緊締ベルト４は、着用者の大腿部の裏側（後方側）から側面を覆い、ヒップアップベルト３の下端側と一端において当接し、大腿部下部緊締ベルト５と他端側において当接する部材である。より具体的には、大腿部下部緊締ベルト４は、ヒップアップベルト３の下端側を起点として、大腿部の裏側に配設されて、着用者の膝裏上方あたりにおいて左右に分岐する。その分岐した両端部は、それぞれ膝頭上方あたりから配設される大腿部下部緊締ベルト５の端部と当接し一体化して混然一体となり終結する。大腿部下部緊締ベルト４により、着用者が着用している状態で、普段通りに歩行や階段の上り下りなど日常生活における動作を行うときに、大腿部の裏側に位置する大腿四頭筋に負荷を掛け、大腿四頭筋の活動量や代謝を上昇させることができる。また、大腿部下部緊締ベルト５と相俟って、大腿部負荷ベルト４に力が加わったときに衣料基部１の下端が上方に引き上げられないようにしているので、大腿四頭筋に確実に負荷を掛け、大腿四頭筋の活動量や代謝を上昇させることができる。
【００６２】
大腿部下部緊締ベルト５は、着用者の膝頭の上部及び下部を締め付け、大腿部負荷ベルト４の他端と当接する部材である。より具体的には、大腿部下部緊締ベルト５は、着用者の膝頭の周囲を覆うように配設されて、そして膝頭の上方から大腿部負荷ベルト４の他端側に延びて大腿部負荷ベルト４と混然一体となるよう当接し、さらに着用者の膝下あたりから脛に相当する部分に分岐して衣料基部１に配設され、両端部が足首緊締ベルト８に当接して終結する。大腿部下部緊締ベルト５により、ヒップアップベルト３及び大腿部負荷ベルト４の着用者における膝下部分と相まって大腿部負荷ベルト４に力が加わったときに衣料基部１の下端が上方に引き上げられないようにしているので、大腿四頭筋に確実に負荷を掛け、大腿四頭筋の活動量や代謝を上昇させることができる。また、本実施形態において、大腿部下部緊締ベルト５は、着用者の膝頭の上部及び下部を締め付けるように膝頭の周囲を覆って配設されているが、他の実施形態において、着用者の膝頭の下部のみを締め付けるように配設されていてもよい。
【００６３】
下腹部緊締部６は、下腹部を締め付ける部材であり、上端が骨盤緊締ベルト２およびヒップアップベルト３に当接し、恥骨部、鼠蹊部を覆うように逆三角形をした形状を有して、衣料基部１に設けられている。下腹部緊締部６により、下腹部に位置する腹直筋の下部などに負荷をかけることにより、着用時に腹直筋の下部などにおける筋力の維持又は強化を図り体形を整えることができる。
【００６４】
足首緊締ベルト８は、衣料基部１における着用者の足首回りに相当する部分に配設され、その外側及び内側の両側面側において大腿部下部緊締ベルト５の両端がそれぞれ当接している部材である。足首緊締ベルト８により、大腿部負荷ベルト４の着用者における膝下部分と相まって大腿部下部緊締ベルト５に力が加わったときに衣料基部１の下端である足首回りが上方に引き上げられないようにしているので、各筋肉に確実に負荷を掛け、各筋肉の活動量や代謝を上昇させることができる。
【００６５】
そして、骨盤緊締ベルト２、ヒップアップベルト３、大腿部負荷ベルト４、大腿部下部緊締ベルト５、下腹部緊締部６、側方緊締ベルト７、足首緊締ベルト８は、着用者の腰部から大腿部に沿った上下方向の伸縮性が、その水平方向である左右方向や前後方向の伸縮性よりも小さいように設計されている。具体的には、衣料基部１を平編みによって編成し、そして、骨盤緊締ベルト２、ヒップアップベルト３、大腿部負荷ベルト４、大腿部下部緊締ベルト５、下腹部緊締部６、側方緊締ベルト７、足首緊締ベルト８をタック編みにより編成することにより、編組織の縦方向であるウェール方向の伸縮性を小さくして、横方向との伸縮性に差を設けることができる。そして、着用者の腰部から前記大腿部に沿った上下方向に、それら部材の編組織の縦方向を沿わせることにより、上下方向の伸縮性が、着用者の左右方向や前後方向の伸縮性よりも小さいように設計することができる。このように縦横で緊締力が異なるように設計することにより、各ベルトにおいて左右方向、前後方向には上下方向に比べて伸び易いので、着用時につっぱった感じなく履くことができながらも、腰部、腹部、臀部、および大腿部のあたりの筋力の維持又は強化を図り体形を整えることができる。
【符号の説明】
【００６６】
１・・・衣料基部
２・・・骨盤緊締ベルト
２´・・・骨盤緊締補助ベルト
２１・・・レース
３・・・ヒップアップベルト
４・・・大腿部負荷ベルト
５・・・大腿部下部緊締ベルト
６・・・下腹部緊締部
７・・・側方緊締ベルト
８・・・足首緊締ベルト
【図１】
2018040065.tif 000006
【図２】
2018040065.tif 000007
【図３】
2018040065.tif 000008
【図４】
2018040065.tif 000009
【図５】
2018040065.tif 000010
【図６】
2018040065.tif 000011
【図７】
2018040065.tif 000012
【図８】
2018040065.tif 000013
【図９】
2018040065.tif 000014
【図１０】
2018040065.tif 000015